(57)【要約】【課題】多数のピンチを有する洗濯ハンガにおいて、鴨居やカーテンレールに吊り下げた前記洗濯ハンガは傾いて干し物同士が接触したり、壁等にも接触して汚れたりする、更には、吊り下げ部が不安定な為洗濯ハンガが落下する。【解決手段】洗濯ハンガの枠状体と、この枠状体を吊り下げる為の吊り下げ具からの機構を有し吊り下げ具は、フック部と係止め孔からなりフック部は操作レバーを開閉する把持力を利用しフックが閉じた時に下側より上側のフックが長く形成されており僅かな出っ張り等を掴むことが出来、更に前記枠状体と吊り下げ具はストッパー２つを持つ紐でその紐は係止め孔を素通りしており吊り下げ具が自在に位置変更でき鴨居に吊るすことも可能で水平若しくはほぼ水平を維持する。更に前記枠状体には差し込み穴を有し刺し込み棒を入れることで枠状体が接触することを防ぎ上記課題を解決する。【選択図】図１
2008237851.tif 000002
【特許請求の範囲】
【請求項１】
多数のピンチ１を有する物干しハンガ本体Ｍと、当該物干しハンガ本体Ｍに設けられた吊り下げ紐４と、当該吊り下げ紐４に設けられたストッパーを、当該吊り下げ紐４を通すことができる係り止め孔１０と、フック部Ｆを設けた吊り下げ具Ｎより構成され、洗濯物等を吊るして物干しハンガ本体Ｍが傾いた時、前記吊り下げ具Ｎをスライドさせ、物干しハンガ本体Ｍをほぼ水平状態に保てることを特徴とする物干しハンガ。
【請求項２】
吊り下げ具Ｎのフック部Ｆは、上方側が下方側に比べ長く形成されており僅かな出っ張り等に吊るす時は開閉レバー３を開き、そのフックの把持力を利用して上下から挟み込み当該物干しハンガ本体Ｍの落下を防ぐ請求項１に記載の物干しハンガ。
【発明の詳細な説明】
【技術分野】
【０００１】  本発明は、紐の滑り止め機構と、鴨居や僅かな出っ張り等を把持出来る移動式フック及び物干し枠体の外枠側に差し棒を持った、物干しハンガに関するものである。
【背景技術】
【０００２】  従来の物干しハンガには、矩形状の物干し枠体に吊り下げ具と係止め孔に紐を挿通されただけの物干しハンガがある。（例えば、特許文献１参照）【０００３】  また、鴨居等に掛止め可能な吊り下げフックと、吊り下げフックが物干し枠体の中心より横方向に偏移した部位に位置する状態に変更出来るように被吊り下げ部と吊り下フックとの間の連結長さを変更する、脱着操作自在な連結杆を組み付け構成され、更に壁等に物干し枠体の外側が接触することを避ける様に壁等と物干し枠体の外側に空隙部を確保する突出装置を設けたものがある。（例えば、特許文献２参照）【０００４】  その他に、パラソル状に形成された洗濯物干し具が、鴨居に掛けて落下することを防ぐ機構を持つものがある。（例えば、特許文献３参照）【０００５】
【特許文献１】  特開２００２−３３１１９９
【特許文献２】  特開２００３−２４６９５
【特許文献３】  特開２００６−５９５
【発明の開示】
【発明が解決しようとする課題】
【０００６】  従来の物干しハンガでは、係止め孔に紐を挿通され、フック部が通常な状態、すなわち吊り下げフックが物干し枠体の中心上に位置している吊り下げ状態から横方向に吊り下げフックを自由に移動させることが簡単に出来屋外での物干しや屋内での使用が容易に選択することができ、物干し装置自体が傾斜することなく正常姿勢を保持することが出来る。【０００７】  しかしながら、横方向に吊り下げ具を変更させた場合においては、係止め孔に挿通されただけの複数の吊り下げ紐は、片寄った力すなわち物干し枠体のバランスが崩れた干し方をした場合においては、係止め孔から吊り下げ紐が滑ってしまう可能性がある。【０００８】  また、吊り下げフックが物干し枠体の中心に位置する状態から、横へ変更するにつれて連結体を設けて移動の変更操作を行い、物干し枠体の水平又はほぼ水平を維持したものがある。【０００９】  しかし、吊り下げ状態を変更させ水平又はほぼ水平をさせる手段として特別な装置を新たに設け、その操作を吊り下げフックが物干し枠体から横、或いは中心に移動させるという操作手順を必要とする。
【課題を解決するための手段】
【００１０】  本発明の請求項１に記載の物干しハンガは、多数のピンチ１を有する物干しハンガ本体Ｍと、当該物干しハンガ本体Ｍに設けられた吊り下げ紐４と、当該吊り下げ紐４に設けられたストッパー８及び９と、吊り下げ紐４を通すことができる係止め孔１０を有し、吊り下げには、フック部Ｆを設けた吊り下げ具Ｎより構成され、洗濯物等を吊るして物干しハンガ本体Ｍが傾いた時、前記吊り下げ具Ｎのスライドによって、物干しハンガ本体はほぼ水平状態に保てることが出来ることを特徴とするものである。【００１１】  本発明の請求項２に記載の物干しハンガは吊り下げ具Ｎの一部であるフック部Ｆは上方側が下方側に比べ長く形成されており鴨居に吊るす時等は、開閉レバー３を開いてフック把持力により上下から挟み込んで物干しハンガ本体Ｍが接触、或いは洗濯物のアンバランスによる落下を防ぐようにしたものである。
【発明の効果】
【００１２】（１）本発明は、吊り下げ具Ｎをスライドすることで、吊り下げ位置を簡単に移動でき物干しハンガ本体Ｍが傾斜することなく、水平若しくはほぼ水平を維持する。（２）本発明は、第１ストッパ８だけでなく、吊り下げ具Ｎをより安定させる為に第１ストッパ８を押える第２ストッパ９を有している。（３）本発明は、フック部Ｆの開閉レバー３を開くことでバネ１８の把持力によりフック２、フック２ａで僅かな出っ張り等に吊り下げても、接触等による物干しハンガ本体Ｍの落下が無い。（４）本発明は、壁等へ干した時、洗濯物が壁につかない様に外枠体５に差し込み穴６を設け、差し込み棒７を差し込み、壁に洗濯物が接触することを防ぐ様にしたものである。
簡単に移動しないよう二重のストッパーを用いてより安定的に水平若しくはほぼ水平を維持する。又、僅かな出っ張り等に吊り下げてもフック部の把持力により接触等による物干しハンガが落下しないようになっている。更に壁等へに洗濯物がつかない様に外枠体に小穴があり刺し込み棒を入れることで解消出来る。
【発明を実施するための最良の形態】
【００１３】  本発明の実施形態は図１（本発明の斜視図）に示す様に多数のピンチ１と差し棒７を有する枠状体と前記枠状体を吊り下げる為に必要な吊り下げ具Ｎを有し、吊り下げ具Ｎと枠状体は、吊り下げ紐４で第１ストッパー８，第２ストッパー９を介し係止め孔１０を挿通させ被吊り下げ部１６に固定された機構を持つものである。【００１４】  前記吊り下げ具Ｎは、図２のようにフック２とフック２ａ及び開閉レバー３更に吊りげ紐４を挿通した係止め孔１０から構成されており吊り下げ紐４には１本の紐に対し自在に動く第１ストッパー８，第２ストッパー９の２つが付いている。紐が挿通されていることで吊り下げ具Ｎは、吊り下げ紐４を自由に移動できる状態で有り、従って物干しハンガ本体Ｍを傾けること無く吊り下げ具Ｎだけを位置変更すれば容易に水平、若しくはほぼ水平を保つことが出来る。【００１５】  ２つのストッパー第１ストッパー８，第２ストッパー９はそれぞれ分離しており吊り下げ紐４よりやや大きい径になっている。物干しハンガ本体Ｍが水平に使用出来る時、すなわち吊り下げ具Ｎが物干しハンガ本体Ｍの中心に有る場合は、図６に示す様に第１ストッパー８を係り止め孔１０に押し当てた状態で使用し、洗濯物等を干した時その重さで、被吊り下げ部１６に固定されている吊り下げ紐４が引っ張られていき係り止め孔１０に吊り下げ紐４が止まる。これは、重量すなわち洗濯物等が多くなる毎に安定度が増すことになる。逆に軽くなった場合は不安定となり第１ストッパー８だけでは、吊り下げ紐４が係り止め孔１０から滑り易くなって、水平度が悪くなる。その際には第１ストッパー８を止めるべく第２ストッパー９を第１ストッパー８に押し当てて吊り下げ紐４の滑りを押さえる。この使用方法は、吊り下げ具Ｎが物干し枠体の長辺方向の何処の位置に有っても同様な取り扱いをするもので有る。【００１６】  図４は、請求項２における使用の形態で有り、障子の外枠程の幅をフック部Ｆの２及び２ａで掴んでいる。これは、図９に示す様に、支点Ｘにあたるバネ止めにコイル状に巻かれたバネ１８の巻き始めを開閉レバー３に、巻き終わりをフック部アーム１７に長く取り付けて有りこのバネ１８は、開閉レバー３とフック部アーム１７を押し広げる力を有している。フック２は、フック部アーム１７と一体で、フック２ａと開閉レバー３が支点Ｘを中心に動く構造になっている。これによりフック２とフック２ａにはバネ１８による把持力が生じる。この把持力を利用して開閉レバー３を引くことによってフック２ａだけが開いても、フック２が長く形成されている為、僅かな幅を掴むことが可能となる。この状態で洗濯物等を干しておいても物干しハンガ本体Ｍは接触等による落下は無い。図７は、本発明のフック部Ｆを開いた時の状態図と、図８は、従来のフック部Ｆを開いた時の状態図を示す。【００１７】  図５は、変形しない程度の差し込み穴６を物干し枠体の外枠体５に設け、物干しハンガ本体Ｍを鴨居等に吊り下げた場合洗濯物が接触することを防ぐように設けてある。
【図面の簡単な説明】
【００１８】
【図１】  本発明の斜視図
【図２】  本発明の吊り下げ具の全体図
【図３】  本発明の吊り下げ具を長辺側に移動させた時の全体斜視図
【図４】  本発明の僅かな出っ張りに吊り下げた時の全体図
【図５】  本発明の差し込み棒を使った側面図
【図６】  本発明の吊り下げ具を下から見た図
【図７】  本発明のフックを開いた時の状態図
【図８】  従来のフックを開いた時の状態図
【図９】  フック部Ｆの内部構造図
【符号の説明】
【００１９】Ｘ          支点
Ｍ          物干しハンガ本体
Ｎ          吊り下げ具
Ｆ          フック部
１          ピンチ
２          フック上方側
２ａ        フック下方側
３          開閉レバー
４          吊り下げ紐
５          外枠体
６          差し込み穴
７          刺し込み棒
８          第１ストッパー
９          第２ストッパー
１０        係止め孔
１１        カーテンレール
１５        壁
１６        被吊り下げ部
１７        フック部アーム
１８        バネ
【図１】
2008237851.tif 000003
【図２】
2008237851.tif 000004
【図３】
2008237851.tif 000005
【図４】
2008237851.tif 000006
【図５】
2008237851.tif 000007
【図６】
2008237851.tif 000008
【図７】
2008237851.tif 000009
【図８】
2008237851.tif 000010
【図９】
2008237851.tif 000011